(57)【要約】【課題】表面部への良好な印刷を確実に行えると共に組付け後の表面部の形状を良好なものにできるようにした遊技機用遊技部品及びその製造方法を提供する。【解決手段】パチンコ機の役物部品として用いられる遊技部品３０の第１の成形品３１の凹面部２に第１の成形品３１を支持するように芯材３３を装着した後、芯材３３が装着された第１の成形品３１に第２の成形品３２を組付け、芯材３３が第１、第２の成形品３１，３２を支持した状態で第１、第２の成形品３１，３２が一体化された遊技部品を３０を得る。芯材３３の装着前に第１、第２の成形品３１，３２に熱変形が生じていても、芯材３３の支持に伴う反力により前記熱変形分が修復される。このため、遊技部品３０として所望の形状を確保することができる。第１、第２の成形品３１，３２に、従来技術で設けられるリブを設けないので、ヒケの発生を招くことがなく、良好な印刷を施すことが可能になる。【選択図】　　　　図１
2004065441.tif 000002
【特許請求の範囲】
【請求項１】
凹面部を有する成形品を複数個備え、該複数個の成形品について、各凹面部が対面するように合わせられ内側に空間部を形成して組付けられる球体状、略球体状又は多面体状の遊技機用遊技部品において、前記複数の成形品で形成される前記空間部に、前記複数の成形品を支持するように所定形状の芯材を設けたことを特徴とする遊技機用遊技部品。
【請求項２】
凹面部を有する成形品を複数個備え、該複数個の成形品について、各凹面部が対面するように合わせられ内側に空間部を形成して組付けられる球体状、略球体状又は多面体状の遊技機用遊技部品の製造方法において、一の成形品の凹面部に、該一の成形品を支持するように芯材を装着し、その後、他の成形品の凹面部が前記芯材に嵌合するように、当該他の成形品を前記一の成形品に合わせて組付けを行うことを特徴とする遊技機用遊技部品の製造方法。
【発明の詳細な説明】
【０００１】
【発明の属する技術分野】
本発明はパチンコ機の役物などに用いられる遊技部品及びその製造方法に関するものである。
【０００２】
【従来の技術】
パチンコ機及びパチスロ機等の遊技機では、役物などに種々の遊技部品を用い、興趣の向上を図るようにしているのが一般的である。
このような遊技部品の一例として、図４及び図５に示す遊技部品１がある。この遊技部品１は、パチンコ機の役物に用いられ、常時回転したり、あるいは所定の遊技条件が成立したときに回転するようになっている。この遊技部品１は、凹面部２を有するプラスチック製の略半球形状の２つの成形品（以下、便宜上、第１、第２の成形品という。）３，４を備え、第１、第２の成形品３，４について、各凹面部２が対面するように合わせられ内側に空間部５を形成させて組付けられることにより構成されている。
【０００３】
第１の成形品３は、球（図示省略）の中心（便宜上、中心６として図４及び図５に示す。）を含む一の直線（以下、Ｘ軸という。）７と直交し、前記中心６から所定距離空けて配置される２つの面（図示省略）で、前記球を３つの球構成部に分離し、３つの球構成部のうち前記中心６を含む略球状の球構成部（以下、便宜上、両端平面球体という。）について、Ｘ軸７を含む平面で２つに切断して得られる部材（以下、便宜上、両端平面球体半割体という。）に略沿い、かつ前記中心６側をくりぬくように凹面部２を形成した形状をなしている。
ここで、第１の成形品３のＸ軸７と直交する２つの面に相当する面部であって図４上側の面部を第１平坦側壁１０といい、下側の面部を第２平坦側壁１１という。第１の成形品３のＸ軸７を含む平面に対応する面を、便宜上、開口面１２という。また、略球状に湾曲した形状をなし、第１、第２平坦側壁１０，１１と共に凹面部２を形成する部分を湾曲部１３という。
【０００４】
第１の成形品３は、凹面部２に複数枚の面状のリブ１４を形成している。リブ１４は、前記第１、第２平坦側壁１０，１１に平行な複数（図４及び図５では２つ）の平坦側壁平行リブ１４１と、第１、第２平坦側壁１０，１１と直交し、かつ平坦側壁平行リブ１４１と交差して構成される複数（図４及び図５では２つ）の平坦側壁垂直リブ１４２とからなっている。平坦側壁平行リブ１４１及び平坦側壁垂直リブ１４２は、上述したように交差して構成されており、前記凹面部２内が当該リブ１４（平坦側壁平行リブ１４１及び平坦側壁垂直リブ１４２）により複数の室（符号省略）に区画されている。
【０００５】
第１、第２平坦側壁１０，１１の開口面１２側部分の中心部には、半円状の切欠（以下、第１、第２半円状切欠という。）１５，１６がそれぞれ形成されている。第１、第２平坦側壁１０，１１の略中央部分には、ビス挿入用孔（それぞれビス挿入用第１、第２孔という。）１７，１８が形成されている。そして、第１の成形品３のビス挿入用第１、第２孔１７，１８及び第２の成形品４のビス挿入用第１、第２孔１７，１８に図示しないビスを挿入することにより、第１の成形品３の第１坦側壁１０及び第２の成形品４の第１坦側壁１０に配置される補助部材（図示省略）と、第１の成形品３の第２坦側壁１１及び第２の成形品４の第２坦側壁１１に配置される補助部材（図示省略）とを保持するようにしている。
第１平坦側壁１０の開口面１２側部分における第１半円状切欠１５を挟む両側部分には、外方に突出する略三角形状の突出部１９が設けられている。また、第２平坦側壁１１の開口面１２側部分における第２半円状切欠１６を挟む両側部分には、外方に突出する略三角形状の突出部１９が設けられている。
【０００６】
第２の成形品４は、第１の成形品３と略同等形状に構成されている。
第１、第２の成形品３，４は、各開口面１２を接合し、遊技部品１として一体化されている。このように第１、第２の成形品３，４の一体化により構成された遊技部品１は、第１の成形品３の第１半円状切欠１５と第２の成形品４の第１半円状切欠１５とが対面されて、円形の孔（以下、第１孔という。）２１を構成し、同様に、第１の成形品３の第２半円状切欠１６と第２の成形品４の第２半円状切欠１６とが対面されて、円形の孔（以下、第２孔という。）２２を構成している。遊技部品１の表面部には印刷により所望の図柄が表示されている。
【０００７】
第１孔２１及び第２孔２２には、パチンコ機の役物配置部分に設けた回転支持軸（図示省略）が挿入され、この遊技部品１は、回転支持軸に支持された状態で、例えば所定の遊技条件が成立したときに回転するようになっている。そして、遊技部品１の回転に伴う表面の図柄の変化等により興趣の向上を図るようにしている。
この遊技部品１では、第１、第２の成形品３，４にリブ１４を設けているので、リブ１４を設けない場合に比して、第１、第２の成形品３，４の変形防止を図ることができる。
【０００８】
【発明が解決しようとする課題】
ところで、上述した従来技術では、第１、第２の成形品３，４にリブ１４を設けているので、第１、第２の成形品３，４の表面部にヒケが発生し、なだらかな球状の表面部を得ることが難しく、ひいては良好な印刷を施すことができなかった。そして、興趣の向上を図る上から、良好な印刷を施し得るように改善が求められているというのが実情であった。
また、第１、第２の成形品３，４について、成形時及びメッキなどの２次加工時に熱変形しやすく、第１、第２の成形品３，４を遊技部品１として組付けた場合に、全体として所望の球状の表面部を得ることが難しく、改善が求められている。
【０００９】
本発明は、上記事情に鑑みてなされたもので、表面部への良好な印刷を確実に行えると共に組付け後の表面部の形状を良好なものにできるようにした遊技機用遊技部品及びその製造方法を提供することを目的とする。
【００１０】
【課題を解決するための手段】
請求項１記載の発明は、凹面部を有する成形品を複数個備え、該複数個の成形品について、各凹面部が対面するように合わせられ内側に空間部を形成して組付けられる球体状、略球体状又は多面体状の遊技機用遊技部品において、前記複数の成形品で形成される前記空間部に、前記複数の成形品を支持するように所定形状の芯材を設けたことを特徴とする。
【００１１】
請求項２記載の発明は、凹面部を有する成形品を複数個備え、該複数個の成形品について、各凹面部が対面するように合わせられ内側に空間部を形成して組付けられる球体状、略球体状又は多面体状の遊技機用遊技部品の製造方法において、一の成形品の凹面部に、該一の成形品を支持するように芯材を装着し、その後、他の成形品の凹面部が前記芯材に嵌合するように、当該他の成形品を前記一の成形品に合わせて組付けを行うことを特徴とする。
【００１２】
【発明の実施の形態】
本発明の第１実施の形態に係る遊技機用遊技部品（以下、遊技部品という）３０を図１に基づいて説明する。なお、図４及び図５に示す部材及び部分と同等の部材及び部分については、同等の符号を付し、その説明は、適宜省略する。
図１において、遊技部品３０は、凹面部２を有するプラスチック製の略半球形状の２つの成形品（以下、便宜上、第１、第２の成形品という。）３１，３２を備え、第１、第２の成形品３１，３２について、各凹面部２が対面するように合わせられ内側に空間部５を形成させて組付けられるようになっている。遊技部品３０は、第１、第２の成形品３１，３２の組付けにより形成される空間部５に収納される芯材３３を有している。以下、便宜上、第１、第２の成形品３１，３２の組付けにより構成される部材を、芯材３３と区別するために遊技部品本体３４という。
【００１３】
第１の成形品３１の前記Ｘ軸７と直交する２つの面に相当する面部であって図１上側の面部を第１平坦側壁１０１といい、下側の面部を第２平坦側壁１１１という。第１の成形品３のＸ軸７を含む平面に対応する面を、便宜上、開口面１２という。また、略球状に湾曲した形状をなし、第１、第２平坦側壁１０１，１１１と共に凹面部２を形成する部分を湾曲部１３という。
第２の成形品３２は、第１の成形品３１と略同等形状に構成されている。
遊技部品３０には、さらに、第１の成形品３１の第１平坦側壁１０１及び第２の成形品３２の第１平坦側壁１０１と、第１の成形品３１の第２平坦側壁１１１及び第２の成形品３２の第２平坦側壁１１１と、にそれぞれ個別に搭載するように図示しない補助部材が２つ設けられている。そして、遊技部品３０及び前記２つの補助部材から役物部材３５を構成するようになっている。遊技部品３０と２つの補助部材とからなる役物部材３５は、球に極めて近い形状になっている。
【００１４】
第１、第２の成形品３１，３２は、前記図４及び図５に示す従来例の第１、第２の成形品３，４に比して、リブ１４を廃止したこと及び芯材３３を設けたことが大きく異なっている。
芯材３３は、大径の１つの筒部（以下、大径筒部という。）３６と、大径筒部３６の中央部分に大径筒部３６と直交して設けられる環状の円板部３７と、円板部３７に連接して大径筒部３６に設けられ、径寸法が大径筒部３６の径寸法より大きく円板部３７の径寸法より小さい中央環状部３８と、中央環状部３８及び円板部３７を貫くようにして、前記大径筒部３６の両側に配置される２本の小径筒部３９と、から大略構成されている。
【００１５】
大径筒部３６及び小径筒部３９の長さは、第１平坦側壁１０１及び第２平坦側壁１１１間の距離と同等以上に設定されている。そして、大径筒部３６及び小径筒部３９を、第１平坦側壁１０１及び第２平坦側壁１１１間に挿入することにより、第１平坦側壁１０１及び第２平坦側壁１１１をＸ軸７方向に支持し得るようにしている。２つの小径筒部３９の配置位置は、第１、第２の成形品３１，３２が開口面１２を合わせて組付けられた際に、この小径筒部３９の両端部が第１の成形品３１のビス挿入用第１、第２孔１７，１８（図５参照）、及び第２の成形品３２のビス挿入用第１、第２孔１７，１８（図５参照）に臨むよう配置されている。
【００１６】
円板部３７の径寸法は、遊技部品本体３４（第１、第２の成形品３１，３２）の湾曲部１３の内側の径寸法と同等以上に設定されている。そして、円板部３７を、遊技部品本体３４の空間部５に挿入することにより、第１の成形品３の湾曲部１３及び第２の成形品４の湾曲部１３をＸ軸７と直交する方向に支持し得るようにしている。
【００１７】
上述した遊技部品３０は、まず、第１の成形品３の凹面部２に芯材３３を挿入する。この際、大径筒部３６の両端の開口部が第１半円状切欠１５及び第２半円状切欠１６（図５参照）に臨み、かつ２本の小径筒部３９のうち一方の小径筒部３９の両端の開口部がビス挿入用第１、第２孔１７，１８に臨むようにして第１平坦側壁１０１と第２平坦側壁１１１との間に大径筒部３６及び小径筒部３９を挿入する。また、この際、第１の成形品３１の凹面部２に芯材３３の円板部３７を当接させておく。
【００１８】
このように、第１の成形品３１の内側に芯材３３を挿入した状態で、第２の成形品３２の凹面部２に芯材３３が挿入されるようにして、第１の成形品３１方向に第２の成形品３２を移動し、第１の成形品３１の開口面１２に第２の成形品３２の開口面１２を重ねて第１、第２の成形品３１，３２の組付けを行なう。この際、大径筒部３６の両端の開口部が、第１の成形品３１の第１半円状切欠１５及び第２の成形品３２の第１半円状切欠１５で形成される第１孔２１、及び第１の成形品３１の第２半円状切欠１６及び第２の成形品３２の第２半円状切欠１６で形成される第２孔２２（図５参照）に臨むように組付ける。また、２本の小径筒部３９のうち他方の小径筒部３９の両端の開口部が第２の成形品３２のビス挿入用第１、第２孔１７，１８に臨むように組付ける。
【００１９】
次に、図示しない２つの補助部材を第１の成形品３１の第１坦側壁１０１及び第２の成形品３２の第１坦側壁１０１と、第１の成形品３１の第２坦側壁１１１及び第２の成形品３２の第２坦側壁１１１とに、それぞれ個別に配置し、２本の小径筒部３９に挿通する図示しないビスにより、２つの補助部材を遊技部品本体３４（第１の成形品３１及び第２の成形品３２）に組付けて、２つの補助部材及び遊技部品本体３４を一体化し、球に極めて近い形状の役物部材３５を構成する。
次に、第１孔２１、大径筒部３６、第２孔２２及び補助部材に形成される図示しない空隙部（孔）に、パチンコ機の役物配置部分に設けた回転支持軸（図示省略）が挿入され、遊技部品３０を含む役物部材３５は、回転支持軸に支持される。そして、遊技部品３０を含む役物部材３５は、例えば所定の遊技条件が成立したときに回転し、遊技部品３０を含む役物部材３５の回転に伴う表面の図柄の変化等により興趣の向上を図るようにしている。
【００２０】
上記構成の遊技部品３０では、上述した従来技術で設けたリブ１４（図４及び図５参照）を廃止して、第１、第２の成形品３１，３２を構成しているので、第１、第２の成形品３１，３２へのヒケの発生を抑制できる。このため、表面部に良好な印刷を施すことが可能になる。
また、第１、第２の成形品３１，３２で形成される空間部５に芯材３３を挿入するが、芯材３３挿入の前に第１、第２の成形品３１，３２にメッキなどの二次加工を施して仮に熱変形が生じていたとしても、上述したように第１の成形品３１の空間部５に芯材３３を装着した状態で、芯材３３が第２の成形品３２の空間部５に挿入されるように第２の成形品３２を第１の成形品３１に組付けることにより、第１、第２の成形品３１，３２は芯材３３の支持に伴う反力を受け、この反力に応じて前記熱変形分が修復される。このため遊技部品３０として、所望の形状を確保することができる。
【００２１】
上記実施の形態では、芯材３３に、１枚の円板部３７を設けた場合を例にしたが、これに限らず、円板部３７を２枚以上設けるようにしてもよい。
また、第１坦側壁１０１及び第２坦側壁１１１との接触面積を大きくするように、大径筒部３６または小径筒部３９の肉厚を大きくするようにしてもよいし、大径筒部３６または小径筒部３９の端部に径方向外方に延びるフランジを設け第１坦側壁１０１及び第２坦側壁１１１との接触面積を大きくするように構成してもよい。
【００２２】
上記実施の形態では、遊技部品３０ひいては役物部材３５が回転される場合を例にしたが、これに限らず、パチンコ機の遊技盤などに固定して用いられるように構成してもよい。また、遊技部品３０は役物部材３５に用いられる場合を例にしたが、図柄表示装置用の部品あるいは装飾用部品等の種々の用途に用いるように構成してもよい。
【００２３】
上記実施の形態では、遊技部品３０の形状、ひいては第１、第２の成形品３１，３２（遊技部品本体３４）の形状が前記両端平面球体に沿う形状である場合を例にしたが、本発明はこれに限らず、球形状としたり、楕円体等の略球形状としてもよい。また、多面体状に構成してもよい。多面体状の遊技部品の一例として、図２及び図３に示す遊技部品（以下、便宜上、第２遊技部品という。）４０がある（第２実施の形態）。
【００２４】
図２及び図３において、第２遊技部品４０は、矩形凹面部４８を有するプラスチック製の矩形箱形状の２つの成形品（以下、便宜上、第３、第４の成形品という。）４１，４２を備え、第３、第４の成形品４１，４２について、各矩形凹面部４８が対面するように合わせられ内側に空間部５を形成させて組付けられるようになっている。第２遊技部品４０は、第３、第４の成形品４１，４２の組付けにより形成される空間部５に収納される芯材（以下、便宜上、第２芯材という。）４３を有している。以下、便宜上、第３、第４の成形品４１，４２の組付けにより構成される部材を、第２芯材４３と区別するために、第２遊技部品本体４４という。
第３の成形品４１の底部４１０から直立して形成される４つの直立面部について、図２時計方向に第１、第２、第３、第４面部４１１，４１２，４１３，４１４という。第４の成形品４２についても同様とする。
【００２５】
第２芯材４３は、第３の成形品４１の第１面部４１１及び第４の成形品４２の第１面部４２１の合わせ部と、第３の成形品４１の第３面部４１３及び第４の成形品４２の第３面部４２３の合わせ部との間に挿入される筒部４５と、中央部に形成した孔４６に筒部４５が嵌合される四角形状板４７とから構成されている。四角形状板４７は、第３の成形品４１の第４面部４１４、底部４１０、第２面部４１２、第４の成形品４２の第２面部４２２、底部４２０、第４面部４２４に当接するようにして前記空間部５に収納されるようになっている。
【００２６】
この第２遊技部品４０では、まず、筒部４５の両端が第３の成形品４１の第１面部４１１と第３面部４１３との間になるように第３の成形品４１の矩形凹面部４８に第２芯材４３を挿入する。この際、第３の成形品４１の矩形凹面部４８に第２芯材４３の四角形状板４７を当接させておく。
【００２７】
このように、第３の成形品４１の内側に第２芯材４３を挿入した状態で、第４の成形品４２の矩形凹面部４８に第２芯材４３が挿入されるようにして、第３の成形品４１方向に第４の成形品４２を移動し、第３の成形品４１に第４の成形品４２を重ねて第３、第４の成形品４１，４２の組付けを行なう。
【００２８】
上記構成の第２遊技部品４０では、上述した従来技術で設けたリブ１４（図４及び図５参照）を廃止して、第３、第４の成形品４１，４２を構成しているので、第３、第４の成形品４１，４２へのヒケの発生を抑制できる。
また、第３、第４の成形品４１，４２で形成される矩形空間部５０に第２芯材４３を挿入するが、第２芯材４３挿入の前に第３、第４の成形品４１，４２にメッキなどの二次加工を施して仮に熱変形が生じても、上述したように第３の成形品４１の矩形凹面部４８に第２芯材４３を装着した状態で、第２芯材４３が第４の成形品４２の矩形凹面部４８に挿入されるように第４の成形品４２を第３の成形品４１に組付けることにより、第３、第４の成形品４１，４２は第２芯材４３の支持に伴う反力を受け、この反力に応じて前記熱変形分が修復される。このため第２遊技部品４０として、所望の形状を確保することができる。
【００２９】
上記各実施の形態では、遊技部品を２つの成形品から構成した場合を例にしたが、遊技部品を３つ以上の成形品から構成するようにしてもよい。
【００３０】
【発明の効果】
請求項１の発明によれば、複数の成形品で形成される空間部に、複数の成形品を支持するように所定形状の芯材を設けたので、芯材の装着前に複数の成形品に熱変形が生じていても、芯材の支持に伴う反力により前記熱変形分が修復される。このため、遊技部品として、所望の形状を確保することができる。また、遊技部品を構成する複数の成形品に、従来技術で設けられるリブを設けないので、ヒケの発生を招くことがなく、良好な印刷を施すことが可能になる。
請求項２の発明によれば、一の成形品の凹面部に、該一の成形品を支持するように芯材を装着し、その後、他の成形品の凹面部が前記芯材に嵌合するように、当該他の成形品を前記一の成形品に合わせて組付けを行うので、芯材の装着前に複数の成形品に熱変形が生じていた場合、組付け時に、複数の成形品は芯材の支持に伴う反力を受け、前記熱変形分が修復される。このため、遊技部品として、所望の形状を確保することができる。また、遊技部品を構成する複数の成形品に、従来技術で設けられるリブを設けないので、ヒケの発生を招くことがなく、良好な印刷を施すことが可能になる。
【図面の簡単な説明】
【図１】本発明の第１実施の形態に係る遊技部品を示す分解斜視図である。
【図２】本発明の第２実施の形態に係る第２遊技部品を示す分解斜視図であり、見えない部分の形を明示するように点線を付した図である。
【図３】図２に対応し、図２から点線を廃止した図である。
【図４】従来の遊技部品の一例を示す分解斜視図であり、見えない部分の形を明示するように点線を付した図である。
【図５】図４に対応し、図４から点線を廃止した図である。
【符号の説明】
４　　空間部
３０　遊技部品
３１　第１の成形品
３２　第２の成形品
３３　芯材
４０　第２遊技部品
４１　第３の成形品
４２　第４の成形品
４３　第２芯材
【図１】
2004065441.tif 000003
【図２】
2004065441.tif 000004
【図３】
2004065441.tif 000005
【図４】
2004065441.tif 000006
【図５】
2004065441.tif 000007